(57)【要約】【課題】  陽圧缶で使用する開口容易缶蓋について、缶蓋の単体同士を重ね合わせた際には、タブにより他の缶蓋の内面を傷付けることなく、良好な積み重ね性（スタック性）が得られると共に、缶容器として使用する際には、開口操作のためのタブに指が掛かり易くする。【解決手段】  缶蓋のパネル部に、開口片８を画成するためのスコア線７が刻設され、且つ、開口操作のためのタブ６がリベット止めされていて、リベット５から離れたタブ６の一端側を指掛け部６ａとして引き上げることで開口操作を行なうような開口容易缶蓋において、タブ６の指掛け部６ａ付近で、缶蓋のパネル部に、通常の缶詰の製造によって発生する缶内圧により缶外方に突出する変形容易部１６，１１ａ，１７を、その突出変形によりタブ６の指掛け部６ａを浮き上がらせるように形成する。【選択図】  図２
2005075448.tif 000002
【特許請求の範囲】
【請求項１】
缶蓋のパネル部に、開口片を画成するためのスコア線が刻設され、且つ、開口操作のためのタブがリベット止めされていて、リベットから離れたタブの一端側を指掛け部として引き上げることで開口操作を行なうような開口容易缶蓋において、タブの指掛け部付近で、缶蓋のパネル部に、通常の缶詰の製造によって発生する缶内圧により缶外方に突出する変形容易部が、その突出変形によりタブの指掛け部を浮き上がらせるように形成されていることを特徴とする開口容易缶蓋。
【請求項２】
タブの下方の缶蓋のパネル部に形成された突起部に対して、この突起部の周りを囲むように、変形容易部として環状の膨出容易部が形成されていることを特徴とする請求項１に記載の開口容易缶蓋。
【請求項３】
スコア線の両端部の間をヒンジ部分として残すように開口片が缶蓋のパネル部に部分的に形成され、缶蓋のパネル部の略中央で開口片の領域外にタブがリベット止めされ、且つ、タブと開口片の領域を内包するように、傾斜面と該傾斜面で囲まれた底面を有する浅い凹部が缶蓋のパネル部に形成されているのに対して、この凹部の底面に対する傾斜面の折れ曲がり角度が、タブの両側部と対向する部分の付近で、その他の部分と比べて部分的に小さくなるように成形緩和されていて、この成形緩和部が変形容易部となっていることを特徴とする請求項１に記載の開口容易缶蓋。
【請求項４】
成形緩和部の近傍からタブを横切る方向に、変形容易部となる薄肉部が形成されていることを特徴とする請求項３に記載の開口容易缶蓋。
【発明の詳細な説明】
【技術分野】
【０００１】
本発明は、飲料缶等の缶容器の天板側の端壁として缶胴に巻締固着される缶蓋で、缶蓋のパネル部にリベット止めされたタブの一端側を指掛け部として引き上げることで開口操作を行なうような開口容易缶蓋に関し、特に、缶内圧が高い陽圧缶で使用するのに好適な開口容易缶蓋に関する。
【背景技術】
【０００２】
缶容器の天板側の端壁として缶胴に巻締固着される開口容易缶蓋（イージーオープンエンド）として、従来から、飲料用の缶容器では、缶蓋のパネル部にリベット止めされたタブの一端側を指掛け部として引き上げることにより、缶蓋のパネル部のスコア線で囲まれた開口片の部分を缶内に押し下げて、タブや開口片を缶蓋から切り離すことなく、缶蓋のパネル部の一部分を飲み口として部分的に開口するようなステイオンタブ方式の缶蓋が多く使用されており、一方、プリンやゼリーや固形物を内容物とする缶容器では、缶蓋のパネル部にリベット止めされたタブの一端側を指掛け部として引き上げることにより、缶蓋のスコア線で囲まれたパネル部の大部分を開口片としてタブと共に缶蓋から切り離すことで、缶蓋のパネル部を全面的に開口するようなフルオープンタイプの缶蓋が多く使用されている。
【０００３】
また、ステイオンタブ方式の開口容易缶蓋において、缶蓋のパネル部にリベット止めされたタブの一端側を指掛け部として引き上げる際に、指掛け部に指が掛かり易くするために、タブの指掛け部を下側から支える突起を缶蓋のパネル部に形成すると共に、タブに曲げ弾性を生じさせる打刻凹条を形成することで、タブの指掛け部を浮き上がらせてタブの指掛け部と缶蓋のパネル部との間の隙間を大きくするということが下記の特許文献により従来公知となっている。
【特許文献１】実公平８−６７４６号公報
【発明の開示】
【発明が解決しようとする課題】
【０００４】
ところで、上記のようにタブの指掛け部を缶蓋のパネル部から浮き上がらせた従来公知の開口容易缶蓋では、タブを高く浮き上がらせる程それだけタブに指を掛け易くなるものの、缶蓋の単体としてパネル部からタブを予め浮き上がらせていることから、缶蓋の単体同士を重ね合わせた状態で巻締装置（シーマー）に向けて搬送するような際に、タブの指掛け部がその上に重なる他の缶蓋の内面と擦れ合うことで、他の缶蓋の内面を傷付けてしまうような虞があると共に、缶蓋の内面とその下に重なる他の缶蓋のタブとが接触して積み重ね状態が不安定となり、缶蓋の積み重ね性（スタック性）が悪くなることで、巻締装置での缶蓋の切り出しにトラブルが生じて、巻締装置に対して缶蓋を適正な状態で供給できないような虞もある。特に、内容物が炭酸飲料やビール等の発泡性飲料である缶内圧が陽圧の飲料缶の場合には、胴部と底部が一体成形された缶本体に内容物を充填した後で缶蓋を巻締め固着していることから、そのような巻締装置でのトラブルの発生は、単に缶容器のロスとなるだけでなく、内容物のロスにもつながる大きな問題である。
【０００５】
本発明は、上記のような問題の解消を課題とするものであり、具体的には、陽圧缶で使用する開口容易缶蓋について、缶蓋の単体同士を重ね合わせた際には、タブにより他の缶蓋の内面を傷付けることなく、良好な積み重ね性（スタック性）が得られると共に、缶容器として使用する際には、開口操作のためのタブに指が掛かり易くすることを課題とするものである。
【課題を解決するための手段】
【０００６】
本発明は、上記のような課題を解決するために、缶蓋のパネル部に、開口片を画成するためのスコア線が刻設され、且つ、開口操作のためのタブがリベット止めされていて、リベットから離れたタブの一端側を指掛け部として引き上げることで開口操作を行なうような開口容易缶蓋において、タブの指掛け部付近で、缶蓋のパネル部に、通常の缶詰の製造によって発生する缶内圧により缶外方に突出する変形容易部を、その突出変形によりタブの指掛け部を浮き上がらせるように形成することを特徴とするものである。
【発明の効果】
【０００７】
上記のような本発明の開口容易缶蓋によれば、缶蓋の単体においてタブの指掛け部を予めパネル部から浮き上がらないようにしておくことで、缶蓋の単体同士を重ね合わせた際には、タブにより他の缶蓋の内面を傷付けることなく、また、良好な状態で缶蓋同士を積み重ねることができて、積み重ね性（スタック性）の悪化に起因する巻締装置でのトラブルの発生を防止することができる。また、缶蓋を陽圧缶に巻締め固着した後では、缶内圧により変形容易部が缶外方に突出変形してタブの指掛け部を浮き上がらせることで、タブの指掛け部に容易に指を掛けることができて、缶容器の開口操作を容易に行なうことができる。
【発明を実施するための最良の形態】
【０００８】
缶蓋の単体同士を重ね合わせた際には、タブを他の缶蓋の内面を接触させることなく、且つ、陽圧缶の缶蓋として使用する際には、タブの指掛け部を缶蓋のパネル部から浮き上がらせて指に掛かり易くするという目的を、最良の形態として以下の実施例に具体的に示すように、タブの指掛け部付近で、缶蓋のパネル部に、通常の缶詰の製造によって発生する缶内圧により缶外方に突出する変形容易部を、その突出変形によりタブの指掛け部を浮き上がらせるように形成するということで実現した。
【実施例】
【０００９】
本実施例は、炭酸飲料やビール等の発泡性飲料を内容物とする陽圧の飲料缶に使用するステイオンタブ方式の開口容易缶蓋によるものであって、そのようなステイオンタブ方式の開口容易缶蓋では、従来から一般的に、図１（Ａ），（Ｂ）に示すように、パネル部２とカウンターシンク部３とフランジ部４とが一体的にプレス成形されている本体部分に対して、それとは別体に形成された開口操作用のタブ６が、略円板状のパネル部２の略中央に一体的に形成されたリベット部５でのリベット止めによって固着されている。なお、図示していないが、缶胴との巻締固着部分となるフランジ部４の裏面側には、有機高分子製のシール剤が塗布されて付着される。
【００１０】
そして、缶蓋１の略円板状のパネル部２には、その一部分を飲み口として部分的に開口するように、破断可能なスコア線７で囲まれた部分が開口片８として画成されている。すなわち、開口部の形状に沿って始端から終端に連続するスコア線７（なお、開口時に破断する外側の主スコア線７に対して、破断しない内側の副スコア線が二重線の状態で設けられている）が、その一部分がリベット部５に近接して沿うようにパネル部２に刻設されていて、スコア線７（開口時に破断する主スコア線）によって囲まれた領域が、開口時に缶内に押し下げられる開口片８の部分となり、スコア線７の両端部の間の部分が、開口時にパネル部２と開口片８とを繋ぐヒンジ部分となる。
【００１１】
また、スコア線７の両端部の間をヒンジ部分として残すようにパネル部２に部分的に形成されている開口片８に対して、開口操作用のタブ６が、その一端側が指掛け部６ａとしてリベット部５を挟んで開口片８とは反対側に位置し、その他端側が押下げ部６ｂとして開口片８の上方に位置するように、開口片８の領域外で、パネル部２の略中央に形成されたリベット部５により、パネル部２にリベット止めで固着されている。なお、タブ６では、全体の外周縁や指掛け部６ａの内周縁の部分で金属板が下面側に折り曲げられていて、それらの部分では剛性が極めて高いのに対して、リベット部５によりリベット止めされる部分６ｃの近傍では、一枚の金属板だけで変形し易いようになっている。
【００１２】
さらに、缶蓋１のパネル部２には、タブ６と開口片８の領域を内包するように、傾斜面１１と該傾斜面１１で囲まれた底面１２とを有する浅い凹部１０が形成されており、それによって、缶蓋上面でのタブ６の突出の度合いが低く抑えられると共に、パネル部２の全体的な剛性が高められている。そして、パネル部２に形成された凹部１０の底面１２には、開口片８の部分の剛性を高めるための補強突起１３が形成されており、また、タブ６の指掛け部６ａの末端付近の下方に、指掛け部６ａを摘み易くするための指入れ凹部１４が、傾斜面１１の一部分と連なった状態で、凹部１０の底面１２から更に下方に凹むように形成されていると共に、リベット部５を回動支点としてタブ６が横ずれ回動するのを防止するタブ回り止め用の左右一対の突起部１５が、指掛け部６ａの基部付近の下方でタブ６の裏側に嵌まり込むように形成されている。
【００１３】
ところで、上記のような構造を備えた従来のステイオンタブ方式の開口容易缶蓋に対して、本発明の開口容易缶蓋では、タブ６の指掛け部６ａ付近で、缶蓋のパネル部２に、通常の缶詰の製造によって発生する５０ｋＰａ〜３００ｋＰａ程度の缶内圧により缶外方に突出する変形容易部が、その突出変形によりタブ６の指掛け部６ａを浮き上がらせるように形成されている。
【００１４】
すなわち、本実施例では、図２に示すように、缶蓋のパネル部２（パネル部２に形成された凹部１０の底面１２）において、タブ６の指掛け部６ａの基部付近の下方に形成されたタブ回り止め用の突起部１５に対し、図３（Ａ）に示すように、タブ６の裏側の窪みに嵌まっている突起部１５の周囲で、タブ６の下端部と接触する部分の外側に、変形容易部として環状の膨出容易部１６を形成しており、それによって、缶内圧が缶蓋のパネル部２に裏側から作用したときに、図３（Ｂ）に示すように、環状の膨出容易部１６が缶外方に膨出するように変形することで、その内側でタブ６の下端部と接触している部分（パネル部２の一部である突起部１５の周りの部分）が上方（缶外方）に変位して、その結果、タブ６の指掛け部６ａがパネル部２（凹部１０の底面１２）から浮き上がるようになっている。
【００１５】
なお、このようなタブ回り止め用の突起部１５および環状の膨出容易部１６は、缶蓋の成形時に、先ず、タブ回り止め用の突起部１５よりも大きい予備突起部を形成し、次いで、この予備突起部の周辺部の膨出容易部１６に相当する部分を潰しながら、予備突起部の中央部のタブ回り止め用の突起部１５に相当する部分を突出させることによって成形される。また、タブ回り止め用の突起部１５の位置は、指掛け部６ａの基部付近の下方でタブ６の裏側に嵌まり込む位置ではなく、タブ６の下面に当接して積み重ね性を損なわない程度にタブ６の指掛け部６ａを浮き上がらせるような位置に形成しても良い。
【００１６】
また、本実施例では、タブ６と開口片８の領域を囲むように形成された凹部１０の傾斜面１１において、図２に示すように、タブ６の両側部と対向する部分１１ａ，１１ａで、凹部１０の底面１２に対する傾斜面１１の折れ曲がり角度が、図４（Ａ）に示すような他の部分（傾斜面１１の大部分）での折れ曲がり角度α１と比べて、図４（Ｂ）に示すように、部分的に小さな折れ曲がり角度α２となるように成形緩和されており、それによって、この成形緩和部１１ａ，１１ａの部分が、パネル部２の剛性を高めている（変形させ難い補強部となっている）傾斜面１１の部分において、比較的変形し易い変形容易部となっている。
【００１７】
さらに、そのようにタブ６の両側部と対向する位置で傾斜面１１に形成された成形緩和部１１ａ，１１ａに対して、本実施例では、図２に示すように、各成形緩和部１１ａ，１１ａの近傍からタブ６を横切る方向で、コイニングによる直線状の薄肉部１７が、変形容易部としてパネル部２（凹部１０の底面１２）の上面側に形成されており、それによって、缶内圧が缶蓋１のパネル部２に裏側から作用したときに、各成形緩和部１１ａ，１１ａの間の部分での変形が容易となり、その結果、図５（Ａ）に示すような元の状態から、図５（Ｂ）に示すように、タブ６を横切る方向で薄肉部１７に沿って折れ曲がるようにパネル部３の中央側が膨出して、タブ６の指掛け部６ａの末端側がパネル部２（凹部１０の底面１２）から浮き上がるようになっている。
【００１８】
上記のような本実施例の開口容易缶蓋によれば、缶内圧が缶蓋１のパネル部２に裏側から作用したときに、膨出容易部１６が環状に膨出変形することで、タブ６の指掛け部６ａがパネル部２（凹部１０の底面１２）から浮き上がると共に、各成形緩和部１１ａ，１１ａの間で薄肉部１７に沿って折れ曲がるようにパネル部２の中央側が膨出変形することで、さらに、タブ６の指掛け部６ａの末端側がパネル部２（凹部１０の底面１２）から浮き上がることとなり、その結果、タブ６の指掛け部６ａとパネル部２（凹部１０の底面１２）との間に大きな隙間が開くことで、指掛け部６ａに容易に指を掛けてタブ６を簡単に引き上げることができる。
【００１９】
以上、本発明の開口容易缶蓋の一実施例について説明したが、本発明は、上記のような実施例に限定されるものではなく、例えば、上記の実施例では、缶蓋のパネル部の変形容易部として、環状の膨出容易部１６と各成形緩和部１１ａ，１１ａと薄肉部１７とを全て設けるようにしているが、場合によっては、環状の膨出容易部１６のみ、或いは、各成形緩和部１１ａ，１１ａと薄肉部１７のみ（場合によっては、各成形緩和部１１ａ，１１ａの間の薄肉部１７を省略しても良い）を変形容易部として設けることで実施することも可能であって、例えば、環状の膨出容易部１６のみを変形容易部として設ける場合には、タブや開口片を缶蓋から切り離すことなく缶蓋のパネル部の一部を開口片として缶内に押し下げるようなステイオンタブ方式の缶蓋に限らず、缶蓋のパネル部の大部分を開口片としてタブと共に缶蓋から切り離すようなフルオープンタイプの缶蓋としても実施可能である等、適宜に設計変更可能なものである。
【図面の簡単な説明】
【００２０】
【図１】従来のステイオンタブ方式の開口容易缶蓋について、缶蓋全体の構造を示す（Ａ）平面図、および（Ｂ）断面図。
【図２】本発明の開口容易缶蓋の一実施例について、缶蓋の要部の構造を示す平面図。
【図３】図２に示した実施例においてタブ回り止め用の突起部の周囲に形成される変形容易部（環状の膨出容易部）について、（Ａ）変形前の状態と（Ｂ）変形後の状態とをそれぞれ示す断面説明図。
【図４】図２に示した実施例においてパネル部の凹部の傾斜面に形成される変形容易部（成形緩和部）について、（Ａ）成形緩和部ではない通常の傾斜面と（Ｂ）成形緩和部に形成された傾斜面とにおける傾斜面の折れ曲がり角度をそれぞれ示す断面説明図。
【図５】図２に示した実施例においてパネル部の凹部の傾斜面の各成形緩和部の間に形成される変形容易部（薄肉部）について、（Ａ）変形前の状態と（Ｂ）変形後の状態とをそれぞれ示す断面説明図。
【符号の説明】
【００２１】
１        缶蓋
２        パネル部
５        リベット部
６        タブ
６ａ      （タブの）指掛け部
７        スコア線
８        開口片
１０      凹部
１１      傾斜面
１１ａ    成形緩和部（変形容易部）
１２      底面
１５      タブ回り止め用の突起部
１６      環状の膨出容易部（変形容易部）
１７      薄肉部（変形容易部）
【図１】
2005075448.tif 000003
【図２】
2005075448.tif 000004
【図３】
2005075448.tif 000005
【図４】
2005075448.tif 000006
【図５】
2005075448.tif 000007